(57)【要約】【課題】外部機器に対して充電を実行するにあたって、消費電力の低減や外部機器への過充電の防止を図ることが可能な電気機器を提供する。【解決手段】電気機器であるテレビジョン受信機１は、放送視聴のための主機能である映像及び音声の再生処理を制御するとともに前記主機能を通常稼働状態とスタンバイ状態とで動作させる制御部４と、視聴予約を記憶する記憶部５と、前記主機能とは別に外部機器１０１に対して充電と情報の授受とを実行するための外部機器接続部６と、を備える。制御部４は、スタンバイ状態で外部機器１０１に対して充電を行うとき、外部機器１０１から得られる外部機器１０１の充電状態に基づいて、または外部機器１０１の充電状態と記憶部５等に予め記憶された視聴予約とに基づいて外部機器１０１への充電の実行及び停止を制御する。【選択図】図２
2015018378.tif 000002
【特許請求の範囲】
【請求項１】
主たる利用目的を実現するための主機能を制御するとともに前記主機能を通常稼働状態とスタンバイ状態とに移行させる制御部と、
前記主機能とは別に外部機器に対して充電と情報の授受とを実行するための外部機器接続部と、
を備え、
前記制御部は、前記主機能の前記スタンバイ状態で前記外部機器に対して充電を行うとき、前記外部機器から得られる前記外部機器の充電状態に基づいて前記外部機器への充電の実行及び停止を制御することを特徴とする電気機器。
【請求項２】
前記制御部は、前記外部機器の充電状態が満充電になったとき、前記外部機器への充電を停止することを特徴とする請求項１に記載の電気機器。
【請求項３】
前記主機能に対する動作予約を記憶する記憶部を備え、
前記制御部は、前記記憶部に前記主機能に対する前記動作予約が存在するとき、前記動作予約の設定時間に合せて前記外部機器への充電を実行することを特徴とする請求項１または請求項２に記載の電気機器。
【請求項４】
前記主機能に対する動作予約を記憶する記憶部を備え、
前記制御部は、前記記憶部に前記主機能に対する前記動作予約が存在するとき、前記外部機器に対する所定量以下の充電を前記動作予約に関係なく実行し、前記外部機器に対する前記所定量を超える充電を前記動作予約の設定時間に合せて実行することを特徴とする請求項１または請求項２に記載の電気機器。
【発明の詳細な説明】
【技術分野】
【０００１】
本発明は電気機器に関する。
【背景技術】
【０００２】
テレビジョン受信機などの電気機器には、例えばＭＨＬ（Mobile High-definition Link）インタフェースのようにスマートフォンなどの外部機器に対して充電と情報の授受とを行うための外部機器接続部を備えるものがある。このような外部機器接続部を備える従来の電気機器が例えば特許文献１に開示されている。
【０００３】
特許文献１に記載された従来の電気機器（放送受信装置）は外部機器接続部を介して接続された外部機器に対して通常モードと充電モードとで動作し、通常モードと比較して充電モードの充電電池の最大許容電流値を高くして外部機器に電力を供給している。これにより、外部機器に対する充電時間を短縮してユーザーの使い勝手を向上させている。
【先行技術文献】
【特許文献】
【０００４】
【特許文献１】特開２０１２−２４４８４７号公報
【発明の概要】
【発明が解決しようとする課題】
【０００５】
ここで、例えばテレビジョン受信機には、テレビジョン放送の視聴を実現するための主機能である映像及び音声の再生に対する稼働状態として通常の稼働状態と、省電力の待機状態であるスタンバイ状態とに移行するものがある。そして、スタンバイ状態で外部機器に対して充電を行うとき、電気機器がスタンバイ状態から通常の稼働状態に移行することがある。さらに、外部機器に対する充電は外部機器の充電池が満充電になっても継続して実行されることがある。
【０００６】
このような電気機器ではスタンバイ状態で外部機器に対して充電を行うとき、スタンバイ状態と比較して消費電力が高い状態で充電が継続されることが懸念される。さらに、満充電になっても外部機器に対する充電が継続されると、外部機器の充電池の性能低下や劣化が激しくなる可能性がある。
【０００７】
本発明は、上記の点に鑑みなされたものであり、外部機器に対して充電を実行するにあたって、消費電力の低減や外部機器への過充電の防止を図ることが可能な電気機器を提供することを目的とする。
【課題を解決するための手段】
【０００８】
上記の課題を解決するため、本発明の電気機器は、主たる利用目的を実現するための主機能を制御するとともに前記主機能を通常稼働状態とスタンバイ状態とに移行させる制御部と、前記主機能とは別に外部機器に対して充電と情報の授受とを実行するための外部機器接続部と、を備え、前記制御部は、前記主機能の前記スタンバイ状態で前記外部機器に対して充電を行うとき、前記外部機器から得られる前記外部機器の充電状態に基づいて前記外部機器への充電の実行及び停止を制御することを特徴としている。
【０００９】
この構成によれば、電気機器は主機能のスタンバイ状態において外部機器への充電を効率良く実行し、不必要な充電を抑制する。したがって、電気機器においてスタンバイ状態で外部機器に対して充電を行うときに、スタンバイ状態と比較して消費電力が高い状態で充電が継続されることを防止することができる。
【００１０】
また、上記構成の電気機器において、前記制御部は、前記外部機器の充電状態が満充電になったとき、前記外部機器への充電を停止することを特徴としている。
【００１１】
この構成によれば、電気機器は外部機器が満充電になると外部機器に対する充電を停止するので、充電に係る消費電力が低減し、外部機器への過充電を防止することができる。したがって、外部機器の充電池の性能低下や劣化が抑制される。
【００１２】
また、上記構成の電気機器において、前記主機能に対する動作予約を記憶する記憶部を備え、前記制御部は、前記記憶部に前記主機能に対する前記動作予約が存在するとき、前記動作予約の設定時間に合せて前記外部機器への充電を実行することを特徴としている。
【００１３】
この構成によれば、電気機器は予約された主機能の動作とともに外部機器への充電を実行する。したがって、スタンバイ状態における外部機器への充電が抑制され、電気機器の消費電力が低減する。
【００１４】
また、上記構成の電気機器において、前記主機能に対する動作予約を記憶する記憶部を備え、前記制御部は、前記記憶部に前記主機能に対する前記動作予約が存在するとき、前記外部機器に対する所定量以下の充電を前記動作予約に関係なく実行し、前記外部機器に対する前記所定量を超える充電を前記動作予約の設定時間に合せて実行することを特徴としている。
【００１５】
この構成によれば、電気機器は外部機器に対して所定量以下の充電を直ちに実行し、所定量を超える充電を予約された主機能の動作とともに実行する。したがって、急を要する外部機器への充電に対応することができ、スタンバイ状態における外部機器への充電も抑制される。
【発明の効果】
【００１６】
本発明の構成によれば、外部機器に対して充電を実行するにあたって、消費電力の低減や外部機器への過充電の防止を図ることが可能な電気機器を提供することができる。
【図面の簡単な説明】
【００１７】
【図１】本発明の第１実施形態の電気機器の一例であるテレビジョン受信機の構成図である。
【図２】本発明の第１実施形態のテレビジョン受信機の外部機器に対する充電処理を示すフローチャートである。
【図３】本発明の第２実施形態のテレビジョン受信機の外部機器に対する充電処理を示すフローチャートである。
【図４】本発明の第３実施形態のテレビジョン受信機の外部機器に対する充電処理を示すフローチャートである。
【発明を実施するための形態】
【００１８】
以下、本発明の実施形態を図１〜図４に基づき説明する。なおここでは、本発明の電気機器の一例としてテレビジョン受信機を掲げてその実施形態を説明する。
【００１９】
最初に、本発明の第１実施形態のテレビジョン受信機について、図１を用いてその構成を説明する。図１は電気機器のブロック図である。
【００２０】
テレビジョン受信機１は、図１に示すようにモニタ２、スピーカ３、制御部４、記憶部５及び外部機器接続部６を備える。テレビジョン受信機１の主たる利用目的はテレビジョン放送の視聴であり、放送視聴を実現するためのテレビジョン受信機１の主機能が映像及び音声の再生である。
【００２１】
モニタ２は例えば放送局から発信された放送信号のうち映像として再生された信号を表示する。音声はスピーカ３が再生する。
【００２２】
制御部４は不図示の演算部やその他の電子部品で構成され、記憶部５等に記憶、入力されたプログラム、データに基づきテレビジョン受信機１の各構成要素の動作を制御し、テレビジョン放送の視聴のための映像及び音声の再生処理を実現する。制御部４は視聴を通常の稼働状態で動作させる通常モードと、モニタ２やスピーカ３、その他のデジタル回路部への電力供給をＯＦＦにして省電力化を図ったスタンバイ状態に移行させるスタンバイモードとの制御モードを有する。
【００２３】
また、テレビジョン受信機１はテレビジョン放送の視聴予約が可能である。制御部４は計時機能を有し、記憶部５等に予め記憶された視聴予約に係る情報に基づき予約時間になるとモニタ２等への電力供給をＯＮにして映像及び音声の再生処理を開始する。
【００２４】
外部機器接続部６はテレビジョン受信機１の側壁等の外面に配置される。外部機器接続部６には接続ケーブル１０２を介して外部機器１０１が電気的に接続される。外部機器１０１としては例えばスマートフォンが該当し、外部機器接続部６としては例えばＭＨＬ（Mobile High-definition Link）インタフェースが該当する。外部機器接続部６を利用することにより、テレビジョン受信機１は主機能である映像及び音声の再生処理とは別に、外部機器１０１への充電と外部機器１０１からの映像信号の受信とを実行することができる。外部機器１０１への充電に関して、テレビジョン受信機１は外部機器１０１から外部機器１０１の充電状態に係る情報を得ることができる。
【００２５】
そして、上記構成のテレビジョン受信機１は映像及び音声の再生処理のスタンバイ状態で外部機器１０１に対して充電を行うとき、制御部４が外部機器１０１から得られる外部機器１０１の充電状態に基づいて外部機器１０１への充電の実行及び停止を制御する。より詳しく言えば、テレビジョン受信機１のスタンバイ状態で外部機器１０１に対して充電を行う際に外部機器１０１の充電状態が満充電になったとき、制御部４は外部機器１０１への充電を直ちに停止する。
【００２６】
このようなテレビジョン受信機１における外部機器１０１に対する充電処理について、図２に示すフローに沿って説明する。図２はテレビジョン受信機１の外部機器に対する充電処理を示すフローチャートである。
【００２７】
テレビジョン受信機１が放送視聴に関して通常稼働状態（放送視聴ＯＮ）であり、外部機器１０１への充電を実行中（充電ＯＮ）のとき（図２のスタート）、テレビジョン受信機１はユーザーにより電源ＯＦＦの操作を受け付けることがある（ステップ＃１０１）。
【００２８】
ここで、仮に外部機器１０１への充電を実行していないとすると、テレビジョン受信機１は完全なスタンバイ状態となる。この状態において、テレビジョン受信機１はモニタ２やスピーカ３、その他のデジタル回路部への電力供給をＯＦＦにし、その消費電力が０．１Ｗ以下に低下する。
【００２９】
しかしながら、外部機器１０１への充電が実行中であるので、制御部４は完全なスタンバイ状態とせず、モニタ２及びスピーカ３のみ電力供給をＯＦＦにする（ステップ＃１０２）。この状態において、テレビジョン受信機１は外部機器１０１への充電のためにデジタル回路部が稼働中であってそれらへの電力供給がＯＮであり、その消費電力が１０Ｗ程度になる。なお、外部機器１０１への充電自体に係る消費電力は５Ｗ程度である。
【００３０】
続いて、制御部４は外部機器１０１から得られる情報に基づき外部機器１０１の充電量が１００％（満充電）になったか否かを判別する（ステップ＃１０３）。外部機器１０１の充電量が１００％（満充電）ではない場合（ステップ＃１０３のＮｏ）、継続して外部機器１０１への充電が実行される。
【００３１】
外部機器１０１の充電量が１００％（満充電）になったとき（ステップ＃１０３のＹｅｓ）、制御部４は外部機器１０１への充電を直ちに停止（充電ＯＦＦ）し（ステップ＃１０４）、スタンバイモードをＯＮにして（ステップ＃１０５）テレビジョン受信機１を完全なスタンバイ状態とする。そして、制御部４はテレビジョン受信機１の外部機器１０１に対する充電処理を終了する（図２のエンド）。
【００３２】
上記のように、テレビジョン受信機１は映像及び音声の再生処理のスタンバイ状態で外部機器１０１に対して充電を行うとき、制御部４が外部機器１０１から得られる外部機器１０１の充電状態に基づいて、または外部機器１０１の充電状態と記憶部５等に予め記憶された視聴予約とに基づいて外部機器１０１への充電の実行及び停止を制御する。これにより、テレビジョン受信機１は映像及び音声の再生処理のスタンバイ状態において外部機器１０１への充電を効率良く実行し、不必要な充電を抑制することが可能である。したがって、テレビジョン受信機１においてスタンバイ状態で外部機器１０１に対して充電を行うときに、スタンバイ状態と比較して消費電力が高い状態で充電が継続されることを防止することができる。
【００３３】
また、テレビジョン受信機１がスタンバイ状態で外部機器１０１に対して充電を行う際、制御部４は、外部機器１０１の充電状態が満充電になったとき、外部機器１０１への充電を停止する。これにより、テレビジョン受信機１は外部機器１０１に対する充電に係る消費電力が低減し、外部機器１０１への過充電を防止することができる。したがって、外部機器１０１の充電池の性能低下や劣化を抑制することが可能である。
【００３４】
次に、本発明の第２実施形態のテレビジョン受信機について、図３を用いて説明する。図３はテレビジョン受信機の外部機器に対する充電処理を示すフローチャートである。なお、この実施形態の基本的な構成は図１及び図２を用いて説明した前記第１実施形態と同じであるので、第１実施形態と共通する構成要素には前と同じ符号を付し、図面の記載及びその説明を省略するものとする。
【００３５】
第２実施形態のテレビジョン受信機１は映像及び音声の再生処理のスタンバイ状態で外部機器１０１に対して充電を行うとき、制御部４が外部機器１０１から得られる外部機器１０１の充電状態と視聴予約とに基づいて外部機器１０１への充電の実行及び停止を制御する。より詳しく言えば、テレビジョン受信機１のスタンバイ状態で外部機器１０１に対して充電を行う際に記憶部５等に視聴予約が存在するとき、制御部４は視聴予約の設定時間に合せて外部機器１０１への充電を実行する。
【００３６】
図３によれば、テレビジョン受信機１が放送視聴に関して通常稼働状態（放送視聴ＯＮ）であり、外部機器１０１への充電を停止中（充電ＯＦＦ）のとき（図３のスタート）、テレビジョン受信機１はユーザーにより電源ＯＦＦの操作を受け付けることがある（ステップ＃２０１）。制御部４はスタンバイモードをＯＮにし（ステップ＃２０２）、テレビジョン受信機１を完全なスタンバイ状態とする。
【００３７】
続いて、制御部４は記憶部５等から得られる情報に基づき視聴予約時間になったか否かを判別する（ステップ＃２０３）。未だ視聴予約時間に達していない場合（ステップ＃２０３のＮｏ）、テレビジョン受信機１は継続してスタンバイ状態を維持する。
【００３８】
視聴予約時間になったとき（ステップ＃２０３のＹｅｓ）、制御部４はスタンバイモードをＯＦＦにしてモニタ２及びスピーカ３への電力供給をＯＮにする（ステップ＃２０４）。そして、制御部４は外部機器１０１への充電を開始（充電ＯＮ）する（ステップ＃２０５）。
【００３９】
続いて、制御部４は外部機器１０１から得られる情報に基づき外部機器１０１の充電量が１００％（満充電）になったか否かを判別する（ステップ＃２０６）。外部機器１０１の充電量が１００％（満充電）ではない場合（ステップ＃２０６のＮｏ）、継続して外部機器１０１への充電が実行される。
【００４０】
外部機器１０１の充電量が１００％（満充電）になったとき（ステップ＃２０６のＹｅｓ）、制御部４は外部機器１０１への充電を直ちに停止（充電ＯＦＦ）する（ステップ＃２０７）。そして、制御部４はテレビジョン受信機１の外部機器１０１に対する充電処理を終了する（図３のエンド）。
【００４１】
上記のように、テレビジョン受信機１がスタンバイ状態で外部機器１０１に対して充電を行う際、制御部４は、記憶部５等に視聴予約が存在するとき、視聴予約の設定時間に合せて外部機器１０１への充電を実行する。これにより、テレビジョン受信機１は予約された放送視聴のための動作とともに外部機器１０１への充電を実行する。したがって、スタンバイ状態における外部機器１０１への充電を抑制することができ、テレビジョン受信機１の消費電力を低減させることが可能である。
【００４２】
次に、本発明の第３実施形態のテレビジョン受信機について、図４を用いて説明する。図４はテレビジョン受信機の外部機器に対する充電処理を示すフローチャートである。なお、この実施形態の基本的な構成は図１及び図２を用いて説明した前記第１実施形態と同じであるので、第１実施形態と共通する構成要素には前と同じ符号を付し、図面の記載及びその説明を省略するものとする。
【００４３】
第３実施形態のテレビジョン受信機１は映像及び音声の再生処理のスタンバイ状態で外部機器１０１に対して充電を行うとき、制御部４が外部機器１０１から得られる外部機器１０１の充電状態と視聴予約とに基づいて外部機器１０１への充電の実行及び停止を制御する。より詳しく言えば、テレビジョン受信機１のスタンバイ状態で外部機器１０１に対して充電を行う際に記憶部５等に視聴予約が存在するとき、制御部４は外部機器１０１に対する所定量以下の充電を視聴予約に関係なく実行し、外部機器１０１に対する所定量を超える充電を視聴予約の設定時間に合せて実行する。なお、図４を用いた説明では、外部機器１０１の充電量の所定量を例えば８０％としているが、この数値は一例であって８０％に限定されるわけではない。
【００４４】
図４によれば、テレビジョン受信機１が放送視聴に関して通常稼働状態（放送視聴ＯＮ）であり、外部機器１０１への充電を実行中（充電ＯＮ）のとき（図４のスタート）、テレビジョン受信機１はユーザーにより電源ＯＦＦの操作を受け付けることがある（ステップ＃３０１）。制御部４は完全なスタンバイ状態とせず、モニタ２及びスピーカ３への電力供給をＯＦＦにする（ステップ＃３０２）。
【００４５】
続いて、制御部４は記憶部５等から得られる情報に基づき視聴予約時間になったか否かを判別する（ステップ＃３０３）。視聴予約時間になったとき（ステップ＃３０３のＹｅｓ）、制御部４はモニタ２及びスピーカ３への電力供給をＯＮにする（ステップ＃３０４）。
【００４６】
続いて、制御部４は外部機器１０１から得られる情報に基づき外部機器１０１の充電量が１００％（満充電）になったか否かを判別する（ステップ＃３０５）。外部機器１０１の充電量が１００％（満充電）ではない場合（ステップ＃３０５のＮｏ）、継続して外部機器１０１への充電が実行される。
【００４７】
外部機器１０１の充電量が１００％（満充電）になったとき（ステップ＃３０５のＹｅｓ）、制御部４は外部機器１０１への充電を直ちに停止（充電ＯＦＦ）する（ステップ＃３０６）。そして、制御部４はテレビジョン受信機１の外部機器１０１に対する充電処理を終了する（図４のエンド）。
【００４８】
一方、ステップ＃３０３において、未だ視聴予約時間に達していない場合（ステップ＃３０３のＮｏ）、制御部４は外部機器１０１から得られる情報に基づき外部機器１０１の充電量が８０％を超えたか否かを判別する（ステップ＃３０７）。外部機器１０１の充電量が８０％を超えていない場合（ステップ＃３０７のＮｏ）、ステップ＃３０３に戻り視聴予約時間になったか否かが判別される。
【００４９】
外部機器１０１の充電量が８０％を超えたとき（ステップ＃３０７のＹｅｓ）、制御部４は外部機器１０１への充電を直ちに停止（充電ＯＦＦ）する（ステップ＃３０８）。そして、制御部４はスタンバイモードをＯＮにし（ステップ＃３０９）、テレビジョン受信機１を完全なスタンバイ状態とする。
【００５０】
続いて、制御部４は記憶部５等から得られる情報に基づき視聴予約時間になったか否かを判別する（ステップ＃３１０）。未だ視聴予約時間に達していない場合（ステップ＃３１０のＮｏ）、テレビジョン受信機１は継続してスタンバイ状態を維持する。
【００５１】
視聴予約時間になったとき（ステップ＃３１０のＹｅｓ）、制御部４はスタンバイモードをＯＦＦにし（ステップ＃３１１）、外部機器１０１への充電を開始（充電ＯＮ）する（ステップ＃３１２）。以下、制御部４は上述のとおりステップ＃３０４〜＃３０６を実行し、テレビジョン受信機１の外部機器１０１に対する充電処理を終了する（図４のエンド）。
【００５２】
上記のように、テレビジョン受信機１がスタンバイ状態で外部機器１０１に対して充電を行う際、制御部４は、記憶部５等に視聴予約が存在するとき、外部機器１０１に対する所定量以下の充電を視聴予約に関係なく実行し、外部機器１０１に対する所定量を超える充電を視聴予約の設定時間に合せて実行する。これにより、テレビジョン受信機１は外部機器１０１に対して所定量以下の充電を直ちに実行し、所定量を超える充電を予約された放送視聴のための動作とともに実行する。したがって、急を要する外部機器１０１への充電に対応することができ、スタンバイ状態における外部機器１０１への充電も抑制することが可能である。
【００５３】
以上、本発明の実施形態につき説明したが、本発明の範囲はこれに限定されるものではなく、発明の主旨を逸脱しない範囲で種々の変更を加えて実施することができる。
【産業上の利用可能性】
【００５４】
本発明は電気機器において利用可能である。
【符号の説明】
【００５５】
１    テレビジョン受信機（電気機器）
２    モニタ
３    スピーカ
４    制御部
５    記憶部
６    外部機器接続部
１０１    外部機器
【図１】
2015018378.tif 000003
【図２】
2015018378.tif 000004
【図３】
2015018378.tif 000005
【図４】
2015018378.tif 000006